(57)【要約】データストリームは、圧縮方法より発生され、且つ、時間連続のデータパケットを含み、そのデータパケットは、各々が、時間期間中に現れる信号部分を表す、信号を伝送するデータストリームは、各々が２つの時間連続のデータパケットを表すための結合データパケットを含む。
2004531938.tif 000002
【特許請求の範囲】
【請求項１】
データストリームは、圧縮方法の使用により信号から得られ、且つ、そのデータストリームは、その各々が時間期間中に現れる信号部分を表す時間連続のデータパケットを含む、信号を伝送するデータストリームであって、
データストリームは、各々が少なくとも２つの時間連続のデータパケットを表すための結合データパケットを含むことを特徴とする、データストリーム。
【請求項２】
結合データパケットは、少なくとも２つの時間連続のデータパケットの相互に対応する有効なデータを結合することにより得られた結合データを有し、結合データパケットは、少なくとも２つの時間連続なデータパケットの使用により得られ且つ結合データパケットから信号を再構成するために適応される再構成データを含むことを特徴とする、請求項１に記載のデータストリーム。
【請求項３】
結合データは、振幅結合値を表す振幅結合データを含み、この振幅結合値は相互に対応する振幅値を結合することにより得られ、対応する振幅値は少なくとも２つの時間連続のデータパケットの相互に対応する有効なデータを使って表されることを特徴とする、請求項２に記載のデータストリーム。
【請求項４】
振幅結合値は、相互に対応する振幅値の算術平均値を表すことを特徴とする、請求項３に記載のデータストリーム。
【請求項５】
結合データは、少なくとも２つの時間連続のデータパケットに含まれている周波数データを含むことを特徴とする、請求項３に記載のデータストリーム。
【請求項６】
再構成データは、信号の少なくとも2つの信号部分の信号振幅を再構成するために適応される振幅再構成データを有し、その信号部分は、少なくとも２つの時間連続のデータパケットを使って表されることを特徴とする、請求項３に記載のデータストリーム。
【請求項７】
再構成データは、信号振幅の周波数帯依存再構成を実行するために適応される周波数帯依存振幅再構成データを有することを特徴とする、請求項６に記載のデータストリーム。
【請求項８】
再構成データは、少なくとも１つの周波数帯を再構成するために適応される周波数帯依存振幅再構成データを有し、この少なくとも１つの周波数帯は、周波数帯依存振幅再構成データに対応することを特徴とする、請求項７に記載のデータストリーム。
【請求項９】
再構成データは、振幅結合値から少なくとも２つの時間連続のデータパケットの相互に対応する振幅値を再構成するために適応される、振幅再構成データを有する、ことを特徴とする、請求項３に記載のデータストリーム。
【請求項１０】
再構成データは、信号の少なくとも２つの信号部分の時間期間を再構成するために適応される時間期間再構成データを有し、この少なくとも２つの信号部分は、結合データパケットにより表される少なくとも２つのデータパケットを使って表される、ことを特徴とする、請求項２に記載のデータストリーム。
【請求項１１】
結合データパケットは結合情報データを含み、結合情報データは再構成データを含む、ことを特徴とする、請求項２に記載のデータストリーム。
【請求項１２】
結合情報データは、結合データパケットを識別するために適応される識別データを有することを特徴とする、請求項１１に記載のデータストリーム。
【請求項１３】
振幅再構成データは信号エネルギー内容値を表し、各信号エネルギー内容値はその信号の信号部分のエネルギー内容を表し、この信号部分は少なくとも２つのデータパケットの１つにより表されることを特徴とする、請求項６に記載のデータストリーム。
【請求項１４】
信号の信号部分の信号エネルギー内容値は、振幅値の合計値として構成され、その振幅値はそれぞれのデータパケットの有効なデータを使用して表されることを特徴とする、請求項１３に記載のデータストリーム。
【請求項１５】
各々が時間期間中に現れる信号部分を表し且つ各々がデータの量を有するデータパケットを発生し且つ供給するために適応されたデータ供給源を有し、
データの量を減少させるために適応されるデータ減少手段を有し、
出力装置によりデータストリームを出力する出力手段を有する、圧縮方法の使用により信号から得られるデータストリームの出力装置であって、
データ減少手段は、少なくとも２つの時間連続のデータパケットを結合データパケットに結合し且つ、時間連続の結合データパケットを出力手段に供給するために適応される、結合手段の形式を取ることを特徴とする、出力装置。
【請求項１６】
データパケットを受信するステップを有し、そのデータパケットは各々が時間期間中に現れる信号部分を表し且つ各々がデータの量を有し、且つ、データの量を減少させるステップを有する、信号を伝送するために要求されるデータの量を減少させるデータ減少方法であって、データの量の減少中に、少なくとも２つの時間連続のデータパケットが結合データパケットへ結合されることを特徴とするデータ減少方法。
【請求項１７】
データストリームを受信するために適応された受信手段を有し、
逆圧縮方法を使用して、データストリームから信号を再構成するために適応される信号再構成手段を有し、
再構成された信号を再生するために適応される再生手段を有する、圧縮方法を使用して信号から得られる、データストリームを使用して受信される信号を再生するために適応される再生装置であって、
信号再構成手段は、データストリームに含まれる結合データパケットから信号を再構成するために適応され、その結合データパケットは各々が、圧縮方法の使用により発生される少なくとも２つの時間連続のデータパケットを表し、各データパケットは時間期間中に現れる信号部分を表すことを特徴とする、再生装置。
【請求項１８】
データストリームは、圧縮方法の使用により信号から得られ、逆圧縮方法の使用によりデータストリームから信号を再構成するステップを有する、データストリームから信号を再構成する信号再構成方法であって、信号はデータストリームに含まれる結合データパケットから再構成され、この結合データパケットは、各々が、圧縮方法の使用により発生される少なくとも２つの時間連続のデータパケットを表し、各データパケットは時間期間中に現れる信号部分を表すことを特徴とする、信号再構成方法。
【請求項１９】
入力端子を有し、それを介してデータ減少回路は各々が時間期間中に現れる信号部分を表すデータパケットを受信でき、
データの量を減少させるように適応されたデータ減少手段を有し、
出力端子を有し、それを介してデータ減少回路は受信されたデータパケットの表現を提供できる、信号を伝送するために要求されるデータの量を減少させるデータ減少回路であって、データ減少回路は、少なくとも２つの時間連続のデータパケットを結合データパケットへ結合し且つ、受信されたデータパケットの表現として時間連続の結合データパケットを供給する、ように適応される結合手段の形式を取ることを特徴とする、データ減少回路。
【請求項２０】
入力端子を有し、それを介してデータストリームが信号再構成回路に与えられ、
逆圧縮方法の使用によりデータストリームから信号を再構成するために適用される信号再構成手段を有し、
出力端子を有し、それを介して信号再構成回路は再構成された信号を供給できる、データストリームが、圧縮方法の使用により信号から得られる、データストリームから信号を再構成する信号再構成回路であって、信号再構成手段は、データストリームに含まれる結合データパケットから信号を再構成するように適応され、この結合データパケットは、各々が、圧縮方法の使用により発生される少なくとも２つの時間連続のデータパケットを表し、各データパケットは時間期間中に現れる信号部分を表すことを特徴とする、信号再構成回路。
【発明の詳細な説明】
【０００１】
本発明は、データストリームは、圧縮方法の使用により信号から得られ、且つ、そのデータストリームは、その各々が時間期間中に現れる信号部分を表す時間連続のデータパケットを含む、信号を伝送するデータストリームに関連する。
【０００２】
本発明は更に、各々が時間期間中に現れる信号部分を表し且つ各々がデータの量を有するデータパケットを発生し且つ供給するために適応されたデータ供給源を有し、
データの量を減少させるために適応されるデータ減少手段を有し、出力装置によりデータストリームを出力する出力手段を有する、圧縮方法の使用により信号から得られるデータストリームの出力装置に関連する。
【０００３】
本発明は更に、データパケットを受信するステップを有し、そのデータパケットは各々が時間期間中に現れる信号部分を表し且つ各々がデータの量を有し、且つ、データの量を減少させるステップを有する、信号を伝送するために要求されるデータの量を減少させるデータ減少方法に関連する。
【０００４】
本発明は更に、データストリームを受信するために適応された受信手段を有し、
逆圧縮方法を使用して、データストリームから信号を再構成するために適応される信号再構成手段を有し、再構成された信号を再生するために適応される再生手段を有する、圧縮方法を使用して信号から得られる、データストリームを使用して受信される信号を再生するために適応される再生装置に関連する。
【０００５】
本発明は更に、データストリームは、圧縮方法の使用により信号から得られ、逆圧縮方法の使用によりデータストリームから信号を再構成するステップを有する、データストリームから信号を再構成する信号再構成方法に関連する。
【０００６】
本発明は更に、入力端子を有し、それを介してデータ減少回路は各々が時間期間中に現れる信号部分を表すデータパケットを受信でき、データの量を減少させるように適応されたデータ減少手段を有し、出力端子を有し、それを介してデータ減少回路は受信されたデータパケットの表現を提供できる、信号を伝送するために要求されるデータの量を減少させるデータ減少回路に関連する。
【０００７】
本発明は更に、入力端子を有し、それを介してデータストリームが信号再構成回路に与えられ、逆圧縮方法の使用によりデータストリームから信号を再構成するために適用される信号再構成手段を有し、出力端子を有し、それを介して信号再構成回路は再構成された信号を供給できる、データストリームが、圧縮方法の使用により信号から得られる、データストリームから信号を再構成する信号再構成回路に関連する。
【０００８】
第１の段落で定義した形式のデータストリームは、第２の段落で定義した形式の、市場で入手できる出力装置と共に使用され、この出力装置は、第３の段落で定義した形式のデータ減少回路を含み、そして、その出力装置は、第４の段落で定義した形式の市場で入力できる再構成装置とともに、第３の段落で定義された形式のデータ減少方法を実行するように適応され、この再生装置は第７の段落で定義された形式の信号再構成回路を有し、そして、この再生装置は第５の段落で定義された形式の信号再構成方法を実行するように適応され、それにより、両データストリーム、出力装置、データ減少方法、再生装置、信号再構成方法、データ減少回路及び、信号再構成回路が知られる。
【０００９】
知られた出力装置は従来のパーソナルコンピュータ（ＰＣ）である。ＰＣは、コンパクトディスク再生装置を有し、これはデータ供給源を形成しそして、ＭＰＥＧ１レイヤ３（ＭＰ３）圧縮信号を、ＰＣのマザーボードへ、ＭＰ３符号化されたデータパケットとして、伝送するのに適応され、信号は１つの音楽を示す。データパケットは、高信号品質に最適化されたデータの量を含む。知られた製品の装置は、携帯オーディオ再生装置、形式指定ＳＡ１００を有する、特にＲＵＳＨ１であり、これは、制限された容量の半導体メモリであり、そのおかげで、後の再生のために幾つかの音楽が記憶されうる。ＰＣのマザーボードは、データ再生回路を構成する。ＰＣは更に、ＭＰ３符号化されたデータパケットのデータの量を減少させるデータ減少手段を有する。データ減少手段は、符号変換器ソフトウェアを使って実現され、これは、マザーボードを使って処理され、そして、符号変換、即ち、信号を再構成するためにＭＰ３符号化されたデータパケットを逆圧縮し、そして、オーディオ再生装置の半導体メモリへ記憶される最大数の音楽を可能とするために、そのデータ量がオーディオ再生装置のメモリ容量に最適化された、ＭＰＲ再構成されたデータパケットを発生するために、再構成された信号を、相応じてより高い圧縮率で、再びＭＰ３圧縮するのに、使用される。ＭＰ３符号化されたパケットは、マザーボードからＰＣのＵＳＢ出力モジュールへ送られ、これは、１つの音楽を供給する出力手段を構成する。供給されたＭＰ３符号化されたデータパケットの時間シーケンスは、ＰＣとオーディオ再生装置の間の１つの音楽を転送する知られたデータストリームを構成する。オーディオ再生装置は、ＵＳＢ入力モジュールを有し、これは、受信手段を構成しそして、データストリームを受信しそして半導体メモリ内にデータストリームを記憶するように適応される。そのＵＳＢ入力モジュールは、信号再構成回路を形成するプロセッサ基板に接続され、それにより、信号再構成手段を構成する逆圧縮ソフトウェアが処理される。逆圧縮ソフトウェアを使って、転送中に半導体メモリに記憶されたＭＰ３符号化されたデータパケットは、逆圧縮され、そして１つの音楽が再構成される。このように再構成された一つの音楽は、プロセッサから再生手段へ供給され、これは、基本的には、増幅器とラウドスピーカを使って構成される。出力装置の問題は、符号変換が、かなりの量の計算能力とメモリ資源を必要とし、この結果、ユーザは、標準の伝送レートで信号を伝送中に、望ましくない追加の符号変換遅延に直面する。他の考えられる問題は、ＭＰ３符号化されたパケットの符号変換中に、そのデータパケットは既に信号品質の損失を示す信号表現を形成し、信号品質の更なる損失が、その上に与えられねばならない。それゆえにデータストリームは、低信号品質を有する信号の伝送にのみ適するという問題を有する。更に、再生装置は、受信された問題のあるデータストリームに基づいて信号を再構成するように単に適応されるという問題を示す。
【００１０】
本発明の目的は、第１の段落で定義された形式のデータストリーム、第２の段落で定義された形式の出力装置、第３の段落で定義された形式のデータ減少方法、第４の段落で定義された形式の再生装置、第５の段落で定義された形式の信号再構成方法、及び、第６の段落で定義された形式のデータ減少回路、及び、第７の段落で定義された形式の信号再構成回路についての前述の問題を解決し、且つ、改善された出力装置、改善されたデータ減少方法、改善された再生装置、改善された信号再構成方法、改善されたデータ減少回路及び、改善された信号再構成回路を提供することである。
【００１１】
本発明に従って、第１の段落で定義された形式のデータストリームの前述の目的を達成するために、データストリームは、各々が少なくとも２つの時間連続のデータパケットを表すための結合データパケットを含む。
【００１２】
本発明に従って、第２の段落で定義された形式の出力装置の前述の目的を達成するために、データ減少手段は、少なくとも２つの時間連続のデータパケットを結合データパケットに結合し且つ、時間連続の結合データパケットを出力手段に供給するために適応される、結合手段の形式を取る。
【００１３】
本発明に従って、第３の段落で定義された形式のデータ減少方法の前述の目的を達成するために、データの量の減少中に、少なくとも２つの時間連続のデータパケットが結合データパケットへ結合される。
【００１４】
本発明に従って、第４の段落で定義された形式の再生装置の前述の目的を達成するために、信号再構成手段は、データストリームに含まれる結合データパケットから信号を再構成するために適応され、その結合データパケットは各々が、圧縮方法の使用により発生される少なくとも２つの時間連続のデータパケットを表し、各データパケットは時間期間中に現れる信号部分を表す。
【００１５】
本発明に従って、第５の段落で定義された形式の信号再構成方法の前述の目的を達成するために、信号はデータストリームに含まれる結合データパケットから再構成され、この結合データパケットは、各々が、圧縮方法の使用により発生される少なくとも２つの時間連続のデータパケットを表し、各データパケットは時間期間中に現れる信号部分を表す。
【００１６】
本発明に従って、第６の段落で定義された形式のデータ減少回路の前述の目的を達成するために、データ減少回路は、少なくとも２つの時間連続のデータパケットを結合データパケットへ結合し且つ、受信されたデータパケットの表現として時間連続の結合データパケットを供給する、ように適応される結合手段の形式を取る。
【００１７】
本発明に従って、第７の段落で定義された形式の信号再構成方法の前述の目的を達成するために、信号再構成手段は、データストリームに含まれる結合データパケットから信号を再構成するように適応され、この結合データパケットは、各々が、圧縮方法の使用により発生される少なくとも２つの時間連続のデータパケットを表し、各データパケットは時間期間中に現れる信号部分を表す。
【００１８】
本発明に従った手段を提供することにより、結合データパケットよりなるデータの減少されたデータストリームが発生されそして出力装置を使って供給されることができ、各結合データパケットは、表されるデータパケットのデータの合計量よりも実質的に小さいデータ量を含むことが、優位に達成される。多くの時間、計算能力及びメモリ容量を必要とする、符号変換が不要であるので、データストリームを発生中の追加の遅延が避けられるという、出力装置の更なる利点が達成される。出力装置は、信号品質の大きな追加の劣化無しに、データの減少されたデータストリームを発生できる、という他の主な利点が得られる。更に、信号を、再生装置を使用してそのようなデータストリームから再構成できる、という利点が得られる。再生装置については、これは、更に、データパケットにより表される信号の信号品質に実質的に対応する信号品質で、信号が再構成されるという、利点を有する。更に、データの減少されたデータストリームが、出力装置から再生装置へ素早く伝送されることができる、という利点が得られる。
【００１９】
本発明に従ったデータストリームで、結合データパケットが少なくとも２つの時間連続のデータパケットの相互に対応する有効なデータを結合することにより得られるデータを含み、そして、結合データパケットが、少なくとも２つの時間連続のデータパケットの使用により得られ且つ結合データパケットから信号を再構成するのに適応される再構成データを含むときに、更に優位であることがわかる。
【００２０】
これらは、結合データから信号を再構成するのに要求される再構成データは、既に結合データパケットに含まれておりそして、再構成データのデータ量が各結合データパケットのデータ量の部分のみである、という利点を有する。更に、これは、信号の伝送中に、結合データに加えて含まれる再構成データは、ほとんど追加の遅延を生じないという利点を有する。
【００２１】
本発明に従ったデータストリームで、更に、結合データが、振幅結合値を表す、振幅結合データを有するときに、優位であることが分かり、この振幅結合値は、相互に対応する振幅値を結合することにより得られ、対応する振幅値は少なくとも２つの時間連続のデータパケットの相互に対応する有効なデータを使用して表される。
【００２２】
これは、少なくとも２つの時間連続のデータパケットの対応する有効なデータの結合中に、各データパケットを使用して得られる信号の周波数分解能が、データパケットの結合中に保存され、そして、振幅値を表すために要求されるデータの量のみが減少される、という利点がある。
【００２３】
本発明に従ったデータストリームでは、振幅結合値は、互いに対応する幾何学的平均値を表す。しかしながら、振幅結合値が、相互に対応する振幅値の算術平均値を表す場合には、特に優位であることが分かる。
【００２４】
これは、比例して聞こえる人間の器官の聴覚特性について許容がなされるので、望ましくない心理音響効果が、避けられる、という利点を有する。
【００２５】
本発明に従ったデータストリームでは、更に、結合データが、少なくとも２つの時間連続のデータパケットに含まれる周波数データを含むときに、優位であることが分かる。
【００２６】
これは、データストリームは変更無しに結合されたデータパケットの周波数情報を含みそして、従って、最適なスペクトル分解能を有する信号の再構成が保証されるという、利点を有する。
【００２７】
本発明に従ったデータストリームでは、更に、再構成されたデータが、信号の少なくとも２つの信号部分の信号振幅を再構成するために適応される振幅再構成データを有し、そして、この信号部分は少なくとも２つの時間連続のデータパケットを使用して表される、ときに優位であることが分かる。
【００２８】
これは、データストリームを使用して、各データパケットを使用して表される動的な信号応答を、信号の再構成中に結合データパケットから再構成することができる、という大きな利点を有する。
【００２９】
本発明に従ったデータストリームでは、更に、再構成データが、周波数帯に依存する方法で、信号振幅を再構成するのに適応される周波数帯依存振幅再構成データを含むときに、優位であることが分かる。
【００３０】
これは、データストリームが、振幅再構成データの周波数帯志向のグループ化の使用も可能とし、その結果、特に、データストリームの発生中のそして信号の再構成中の心理音響効果についての許容がなされうる、という利点を有する。
【００３１】
本発明に従ったデータストリームでは、更に、再構成データが、少なくとも１つの周波数帯を再構成するのに適応される、周波数帯依存振幅再構成データを含み、そして、少なくとも一つの周波数帯は、周波数帯依存振幅再構成データに対応する、ときに優位であることが分かる。
【００３２】
これは、可変周波数帯の場合とともに可変数の周波数帯の場合には、周波数帯依存振幅再構成値と関連する周波数帯の間で、明白な割り当てが保証される、という利点を有する。
【００３３】
本発明に従ったデータストリームでは、再構成データは、振幅結合値からの少なくとも２つの時間連続のデータパケットの相互に対応する振幅値を再構成するように適応される、振幅再構成データを含むときに、更に優位であることがわかる。
【００３４】
これは、関連するデータパケットは、データストリームを使用して明白に再生されうる、という利点を有する。更に、データパケットの再構成後に、信号は、再生装置内のデータパケットの逆圧縮により、データパケットから直接的に再構成されることが可能である、という利点を有する。
【００３５】
本発明に従ったデータストリームでは、再構成データ信号の少なくとも２つの信号部分の時間期間を再構成するように適応された、時間期間再構成データを含み、そして、少なくとも２つの信号部分は、結合データパケットにより表される少なくとも２つのデータパケットを使用して表される、ときに更に優位であることが分かる。
【００３６】
これは、データストリームを使用して再構成される信号の信号部分が、各々、可変長の時間を有することが可能である、という利点がある。
【００３７】
本発明に従ったデータストリームでは、更に、結合データパケットが結合情報データを含むときに、そして、結合情報データが再構成データを含むときに、優位であることが分かる。
【００３８】
これは、結合データパケットは、再構成データから自由である結合データを有する、という利点を有する。
【００３９】
本発明に従ったデータストリームでは、更に、結合情報データが、結合データパケットを識別するように適応された識別データを含む、ときに優位であることが分かる。
【００４０】
これは、結合データパケットは、明白に識別されることが可能である、という利点を有する。
【００４１】
本発明に従ったデータストリームでは、更に、振幅再構成データが信号エネルギー内容値を表し、そして、各信号エネルギー内容値は、信号の信号部分のエネルギー内容を表し、この信号部分は少なくとも２つのデータパケットの１つにより表される、ときに優位であることが分かる。
【００４２】
これは、信号振幅の再構成のために、信号が関連する信号部分について最適な方法で再構成されることを可能とする、信号振幅再構成データが利用できる、という利点を有する。
【００４３】
本発明に従ったデータストリームでは、更に、信号の信号部分の信号エネルギー内容値は、振幅値の合計値として構成され、この振幅値は、それぞれのデータパケットの有効なデータを使用して表される、ときに優位であることが分かる。
【００４４】
これは、信号エネルギー内容値を、最も単純な可能な方法で計算することが可能であり、そして、これは、計算能力をほとんど必要とせず、この結果、ユーザに望まれるように、計算は高速に行われる、という利点を有する。
【００４５】
本発明は、本発明を限定しない、図面に示された３つの実施例を参照して、例により更に詳細に、説明する
図１は、データストリームＤＣの出力装置１を示し、この装置は従来のパーソナルコンピュータ（ＰＣ）の形式をとる。出力装置１は、データ供給源２、結合手段３、出力手段４及び、出力端子５を有する。
【００４６】
データ供給源２は、コンパクトディスク再生装置を使用して実現され、これは、ＭＰ３と呼ばれるＭＰＥＧ３レイヤー１に従った圧縮方法を使用して記録された信号を有するコンパクトディスク（ＣＤ）を再生でき、その信号は１つの音楽を表す。そのようなＣＤが再生されるときには、データ供給源２は、いわゆるＭＰ３符号化されたデータパケットの時間シーケンスを発生でき、そして、前記シーケンスを結合手段３へ供給でき、図１は２つの時間シーケンス隣接データパケット、即ち、第１のデータパケットＤＰ１と第２のデータパケットＤＰ２、のみを示す。この状況では、データ供給源２は、代わりに、ＭＰ３符号化されたデータパケットを格納できる、ハードディスクを使用して実現できることに注意する。
【００４７】
第１のデータパケットＤＰ１は、第１の時間期間に現れる信号部分を表す。第２のデータパケットＤＰ２は、第２の時間期間に現れる信号部分を表し、第２の時間期間は、第１の時間期間と同じ長さを有する。データパケットＤＰ１とＤＰ２は、信号の再構成中に最大の信号品質を達成できるように、圧縮処理中に、比較的低い圧縮率が使用されるので、比較的大きな量のデータを構成する。データパケットＤＰ１とＤＰ２は、ヘッダを有し、それにより、情報データが構成される。情報データは、とりわけ、圧縮処理中に選択されたデータフォーマットとともに、圧縮処理中に選択されたビットレートに関連する情報及び、著作権情報を表す。データパケットは更に、有効なデータを含む。有効なデータは、本質的に、圧縮処理中に関連する信号部分に行われたフーリエ分析の結果を表す。このように、有効なデータは、周波数データを含み、この周波数データは、圧縮処理中に考慮された信号部分中のスペクトル分析の周波数値を表す。有効なデータは、さらに、関連する周波数値に対応する振幅値を表す振幅データを有する。
【００４８】
結合手段３は、情報データ発生手段６、結合データ発生手段７、第１の再構成データ発生手段８及び、第１の結合手段９を有する。
【００４９】
結合手段３は、結合ソフトウェアを使用して実現され、これは、パーソナルコンピュータのマザーボードを使用して処理が行われ、このマザーボードは、結合ソフトウェアが処理されるときに、データ減少回路を構成する。データ減少回路１０は、信号を伝送するのに要求されるデータの量を減少するために適応され、そして、入力端子１１を有しそれを介してデータパケットＤＰ１とＤＰ２をデータ供給源２からデータ減少回路１０へ与えることができる。データ減少回路１０は、更に、出力端子１２を有し、それを介して、与えられたデータパケットＤＰ１とＤＰ２の表現を、データ減少回路１０から出力手段４へ与えることができる。
【００５０】
入力端子１１を使用してデータ供給源２から受信されたデータパケットＤＰ１とＤＰ２は、結合手段３へ与えられ、これは、２つの時間連続のデータパケットＤＰ１とＤＰ２を結合データパケットＫＰへ結合し、そして、与えられたデータパケットＤＰ１とＤＰ２の表現として、結合データパケットＫＰを、出力端子１２を介して出力手段４へ供給する。このように、データ減少回路１０を使用して、即ち、結合手段３を使用して、出力装置１は、信号を伝送するのに要求されるデータの量を減少させるデータ減少方法を実行するのに適応され、このデータ減少方法は、以下のステップ、即ち、データ供給源２からデータパケットＤＰ１とＤＰ２を受信するステップとそして、データパケットＤＰ１とＤＰ２のデータの量を減少させるステップを有し、データパケットＤＰ１とＤＰ２のデータの量のその減少中に、少なくとも２つの時間連続のデータパケットＤＰ１とＤＰ２が結合データパケットＫＰに結合される。
【００５１】
結合データ発生手段７は、２つの時間連続のデータパケットＤＰ１とＤＰ２の相互に対応する有効なデータ、第１のデータパケットＤＰ１から抽出され第１の結合手段９へ周波数データＦＤとして供給される周波数データを結合するように適応される。結合データ発生手段７は、更に、振幅結合データＡＫＤを発生しそして、第１の結合手段９へ振幅結合データＡＫＤを供給するように適応される。振幅結合データＡＫＤは、振幅結合値を示し、これは、周波数で互いに対応する振幅値を結合することにより発生でき、対応する振幅値は、２つの時間連続のデータパケットＤＰ１とＤＰ２の対応する周波数の有効なデータを使用して表される。この状況では、結合データ発生手段７は、対応する周波数の振幅値の算術平均を表す振幅結合値を発生するように適応される。振幅結合データＡＫＤと周波数データＦＤは、結合データパケットＫＰの結合データＫＮの構成要素を構成し、結合データＫＮは、結合データパケットＫＰの有効なデータを構成する。これは、振幅結合データのデータの量が、２つのデータパケットＤＰ１とＤＰ２の振幅データのデータの合計量と比較して、半分になるという重要な利点である。
【００５２】
情報データ発生手段６は、結合情報データＫＩを発生するように適用され、この結合情報データＫＩは、結合データパケットＫＰのヘッダを構成する。現在の状況では、情報データ発生手段６は、結合される２つのデータパケットＤＰ１とＤＰ２の第１のデータパケットＤＰ１の情報データを抽出し、前記抽出された情報データを情報データＩとして第１の結合手段９へ供給する。第１のデータパケットＤＰ１から情報データを抽出することは厳密に必要ではないことに注意する。この情報データ発生手段６は、更に、識別データＩＤを発生しそして結合手段９へ供給するように適応され、この識別データＩＤは、結合データパケットＫＰが、それ自体で明白に識別されることを可能とする。更に、識別データＩＤは、結合されたデータパケットの番号をマークするのにも適応されることに、注意する。
【００５３】
第１の再構成データ発生手段８は、結合される２つの時間連続のデータパケットＤＰ１とＤＰ２を使用して再構成データＲＤを発生しそして、前記再構成データを第１の結合手段９へ供給するように適応され、この再構成データＲＤは、結合データパケットＫＰから信号を再構成するのに適応される。このために、第１の再構成データ発生手段８は、振幅再構成データＡＲＤを構成するように適応され、これは、振幅結合データＡＫＤから２つの時間連続のデータパケットＤＰ１とＤＰ２対応する周波数の振幅値を再構成するのに適応される。実際には、再構成データ発生手段８は、振幅再構成データＡＲＤにより表される、第１の信号エネルギー内容値ＳＩ１と第２の信号エネルギー内容値ＳＩ２を計算するように適応され、第１の信号エネルギー内容値ＳＩ１は第１の信号部分のエネルギー内容を表し、そして、第２の信号エネルギー内容値ＳＩ２は信号の第２の信号部分のエネルギー内容を表す。関連する第１の信号エネルギー内容値ＳＩ１又はＳＩ２は、振幅値の合計値として計算でき、この振幅値は、関連するデータパケットの有効なデータにより表される。これは、実際に振幅再構成データを実時間で発生できるという利点を有する。信号の動的な信号応答と時間分解能が、信号品質の損失無しに実質的に再構成されることが可能であるという更に重要な利点が得られる。
【００５４】
第１の結合手段は、識別データＩＤと情報データＩを結合情報データＫＩに結合しそして、結合データＫＮへ振幅再構成データＡＲＤとともに周波数データＦＤとアクチュエータ振幅結合データＡＫＤを結合するように、適応される。更に、第１の結合手段は、結合情報データＫＩと結合データＫＮを結合データパケットＫＰへ結合しそして、結合データパケットＫＰを出力端子１２へ供給するように適応される。
【００５５】
出力手段４は、時間連続の結合データパケットＫＰを受信しそして、結合データパケットＫＰを含むデータストリームＤＣを出力装置１の出力端子５へ供給するように、適応される。出力手段４は、ＵＳＢモジュールを使用して、実現される。出力端子５は、ＵＳＢポートを使用して、実現される。
【００５６】
図７は、本発明に従ったデータストリームＤＣの結合データパケットＫＰを示し、この結合データパケットＫＰは、図１に示された出力装置１を使用して発生される。結合データパケットＫＰは、２つの時間連続のデータパケットＤＰ１とＤＰ２を表す。結合データパケットＫＰは、結合情報データＫＩを含み、これは、結合データパケットＫＰのヘッダを構成する。結合情報データＫＩは、識別データＩＤを含み、これは、それ自体で結合データパケットＫＰを識別するのに適応される。加えて、結合情報データＫＩは、結合されル２つのデータパケットＤＰ１とＤＰ２の第１のデータパケットＤＰ１から抽出されそして、本質的に、第１のデータパケットＤＰ１を表す、情報データＩを含む。結合データパケットＫＰは更に、２つの時間連続のデータパケットＤＰ１とＤＰ２の相互に対応する有効なデータを結合することにより構成された結合データＫＮを有する。結合データＫＮは、２つの時間連続のデータパケットＤＰ１とＤＰ２の第１のデータパケットＤＰ１に含まれる周波数データＦＤを含む。結合データＫＮは、更に、振幅結合データＡＫＤを含み、これは、振幅結合値を表し、この振幅結合値は、対応する周波数の振幅値を結合することにより形成され、対応する周波数の振幅値は、２つの時間連続のデータパケットＤＰ１とＤＰ２の相互に対応する有効なデータを使用して表されている。振幅結合値は、２つのデータパケットＤＰ１とＤＰ２の対応する周波数の振幅値の算術平均値を表す。
【００５７】
結合データＫＮは更に、再構成データＲＤを有し、これは、２つの時間連続のデータパケットＤＰ１とＤＰ２を使用して構成されそして、これは、結合データパケットＫＰから信号を再構成するのに適応される。再構成データＲＤは、振幅再構成データＡＲＤを使用して構成され、これは、振幅結合値から、２つの時間連続のデータパケットＤＰ１とＤＰ２の対応する周波数の振幅値を再構成するのに適応される。振幅再構成データＡＲＤは、２つの信号エネルギー内容値ＳＩ１とＳＩ２を表し、信号エネルギー内容値ＳＩ１とＳＩ２の各々は、信号の信号部分のエネルギー内容を表し、この信号部分は、２つのデータパケットＤＰ１とＤＰ２のそれぞれの１つにより表される。信号の信号部分の２つの信号エネルギー内容値ＳＩ１とＳＩ２の各々は、振幅値の合計値の形式を取り、この振幅値は、それぞれのデータパケットＤＰ１とＤＰ２の有効なデータを使用して表される。
【００５８】
図２は、再生装置１３を示し、これは、データストリームＤＣを使用して受信される信号を再生するように適応されるオーディオ再生装置を構成し、そして、この装置は、図２に示されていないそしてデータストリームを記憶するのに適応されるメモリ手段を有する。
メモリ手段は半導体メモリを使用して実現される。データストリームＤＣは、図１に示された出力装置１を使用して発生される。
【００５９】
再生装置１３は、入力端子１４を有し、これを使用してデータストリームＤＣが再生装置１３に与えられる。入力端子１４は、ＵＳＢポートを使用して実現される。再生装置１３は、更に、再生手段１７とともに、受信手段１５と信号再構成手段１６を有する。
【００６０】
受信手段１５は、データストリームＤＣを受信するように適応され、そして、ＵＳＢモジュールで実現される。受信手段１５は更に、受信されたデータストリームＤＣをの記憶のための半導体メモリを有する。
【００６１】
信号再構成手段１６は、データストリームＤＣに含まれている結合データパケットＫＰから信号を再構成するのに適用される。信号再構成手段１６は、ソフトウェアを使用して実現される。信号再構成手段１６は、第１の逆圧縮手段２１とともに、第１の検出手段１８とパケット再構成手段１９及び、第１の振幅再構成手段２０を含む。
【００６２】
再生装置１３は、更に、それを使用して信号再構成手段が構成されるソフトウェアが実行されるときに、信号再構成回路２２を構成するプロセッサ回路を有する。信号再構成回路２２は、入力端子２３を有し、それを介して、データストリームＤＣの結合データパケットＫＰが、受信手段１５から信号再構成回路２２へ与えられる。信号再構成手段１６を使用して、信号再構成回路２２は、データストリームＤＣ内に含まれる結合データパケットＫＰから信号を再構成するように適応される。信号再構成回路２２は、更に、出力端子２４を有し、それを介して、信号再構成回路２２は再構成された信号Ｓを再生手段１７へ供給する。このように、信号再構成手段１６を使用して、再生装置１３は信号再構成処理を実行するように適応され、その信号再構成処理では、信号は、データストリームＤＣに含まれる結合データパケットＫＰから再構成されるように適応される。
【００６３】
検出手段１８は、結合データパケットＫＰを検出するように適応される。検出手段１８は、更に、結合データパケットＫＰの検出に際し結合データパケットＫＰから振幅再構成データＡＲＤを抽出し、そして、振幅再構成データＡＲＤを第1の振幅再構成手段２０に供給するするように適応される。
【００６４】
パケット再構成手段１９は、結合データパケットＫＰを受信し、そして、結合データパケットＫＰから２つの結合されたデータパケットＤＰ１とＤＰ２を再構成し、そして、２つの結合されたデータパケットＤＰ１とＤＰ２を、それえぞれ、第１の再構成されたデータパケットＲＤＰ１と第２の再構成されたデータパケットＲＤＰ２として、第1の振幅再構成手段２０へ供給するように適応される。このために、パケット再構成手段１９は、結合データパケットＫＰから、情報データＩと周波数データＦＤを、振幅結合データＡＫＤとともに、抽出するように適応される。前記抽出されたデータＩ、ＦＤ及び、ＡＫＤに基づいて、パケット再構成手段１９は、情報Ｉと周波数データＦＤと振幅結合データＡＫＤを結合することにより第１の再構成されたデータパケットＲＤＰ１を発生でき、更に加えて、第２の再構成されたデータパケットＲＤＰ２が第１の再構成されたデータパケットＲＤＰ１の複製により発生されうる。第１の再構成されたデータパケットＲＤＰ１と第２の再構成されたデータパケットＲＤＰ２に存在する同一の振幅結合データＡＫＤは、第１の振幅再構成データＡＲＤを使用して表される、第１の信号エネルギー内容値ＳＩ１と第２の信号エネルギー内容値ＳＩ２に基づいて定めることができる（ｓｃａｌａｂｌｅ）。第１のスケーリングされたデータパケットＳＤＰ１を、第１の再構成されたデータパケットＲＤＰ１の振幅結合データＡＫＤを第１の信号エネルギー内容値ＳＩ１を使用してスケーリングすることにより発生できる。第２のスケーリングされたデータパケットＳＤＰ２を、第２の再構成されたデータパケットＲＤＰ２の振幅結合データＡＫＤを第２の信号エネルギー内容値ＳＩ１を使用してスケーリングすることにより発生できる。スケーリングされたデータパケットＳＤＰ１とＳＤＰ２は、第１の振幅再構成手段２０から第１の逆圧縮手段２１へ与えられる。第１の逆圧縮手段２１を使用して、スケーリングされたデータパケットＳＤＰ１とＳＤＰ２は、パケット毎に逆圧縮され、その結果、再構成された信号Ｓを発生できる。第１の逆圧縮手段２１は、更に、再構成された信号Ｓを再生手段１７へ供給するように適応される。再生手段１７は、本質的に、増幅器とラウドスピーカを使用して実現される。
【００６５】
この結果、再生装置１３は、スケーリングされたデータパケットＳＤＰ１とＳＤＰ２は、結合されたデータパケットＤＰ１とＤＰ２を非常に正確に表すので、人間の耳は、ＣＤ上に記録された信号と再生装置１３を使用して再構成された信号の間の差をほとんど検出できない、という利点を有する。
【００６６】
図３は、時間連続のデータパケットを供給するように適応された、データ供給源２を有する出力装置１を示し、このデータパケットは、各々が所定の時間期間に現れる信号部分を表し、第１のデータパケットＤＰ１は、第１の時間期間に現れる信号部分を表し、そして、第２のデータパケットＤＰ２は、第２の時間期間に現れる信号部分を表し、第１の時間期間は第２の時間期間と異なる。
【００６７】
結合手段３は、第２の再構成データ発生手段８Ａを有し、これは、振幅再構成データＡＲＤを発生し且つ供給するだけでなく、時間期間再構成データＤＲＤも発生し且つ供給するように適応され、このデータは、信号の２つの信号部分の差時間期間を再構成するのに適応される。このように、時間期間再構成データＤＲＤは、第１の時間期間を表す第１の時間期間値Ｔ１と、第２の時間期間を表す第２の時間期間値Ｔ２を表す。これは、異なる長さの時間を有する信号部分を表す２つのデータパケットＤＰ１とＤＰ２が結合されるという利点を有し、これは、出力装置１の応用の範囲を優位に拡張する。
【００６８】
結合手段３は、更に、周波数データＦＤと振幅結合データＡＫＤを結合データＫＮに結合するように適応される、第２の結合手段９を有する。結合手段９は、更に、識別データＩＤと情報データＩと振幅再構成データＡＲＤを、時間期間再構成データＤＲＤとともに、結合情報データＫＩに結合するように適応され、この結果、結合情報データＫＩは、振幅再構成データＡＲＤと時間期間再構成データＤＲＤにより構成された再構成データＲＤを有する。第２の結合手段９は、更に、結合データＫＮと結合情報データＫＩを結合データパケットＫＰに結合するように適応される。結合データパケットＫＰの時間シーケンスは、出力手段４を使用して、出力装置１の出力端子５へ、データストリームＤＣとして与えられる。これは、結合データパケットＫＰは、再構成データＲＤから自由な結合データＫＮを有し、この結果、信号の再構成のための全ての情報は、結合データパケットＫＰのヘッダ内に存在する、という利点を有する。
【００６９】
図８は、図３の出力装置１を使用して発生されうる、結合データパケットＫＰを示す。結合データパケットＫＰでは、結合情報データＫＩは、識別データＩＤ、情報データＩ、振幅再構成データＡＲＤ、及び、時間期間再構成データＤＲＤにより構成される。このように、結合情報データＫＩは、振幅再構成データＡＲＤと時間期間再構成データＤＲＤを使用して形成された再構成データＲＤを有する。結合データＫＮは周波数データＦＤと振幅結合データＡＫＤを有する。
【００７０】
図４は、データストリームＤＣを使用して受信される信号を再生するように適応された再生装置１３を示し、このデータストリームＤＣは、図３の出力装置１により発生できる。
【００７１】
図４に示す再生装置１３では、信号再構成手段１６は、第２の検出手段１８Ａ、第２の逆圧縮手段２１Ａ、第２の振幅再構成手段２０Ａ及び、第１の時間期間再構成手段２５を有する。
【００７２】
第２の検出手段１８Ａは、結合データパケットＫＰを検出するのに適応される。検出の場合には、振幅再構成データＡＲＤは、第２の検出手段１８Ａを使用して結合データパケットＫＰから抽出され、そして、第１の時間期間再構成手段２５へ与えられる。更に、検出の場合には、時間期間再構成データＤＲＤが、第２の検出手段１８Ａを使用して結合データパケットＫＰから抽出され、そして、第１の時間期間再構成手段２５に与えられる。
【００７３】
第２の逆圧縮手段２１Ａは、結合データパケットＫＰを受信しそして、受信された結合データパケットＫＰを逆圧縮するように適応される。逆圧縮結果を構成する結合信号ＫＳは、第２の逆圧縮手段２１Ａを使用して発生されそして、第２の振幅再構成手段２０Ａへ与えられる。結合信号ＫＳは、データストリームＤＣを使用して再生装置１３へ供給される結合時間期間についての信号を表し、結合時間期間は、第１の時間期間と第２の時間期間の和である。
【００７４】
第１の時間期間再構成手段２５は、振幅再構成データＡＲＤを使用して表される、第１の信号エネルギー内容値ＳＩ１と第２の信号エネルギー内容値ＳＩ２を、受信された振幅再構成データＡＲＤと時間期間再構成データＤＲＤのために、正しい時間期間で、第２の振幅再構成手段２０Ａへ、供給するように適応される。このために、第１の時間期間再構成手段２５Ａは、図４に示されていない、時間制御手段を有する。時間制御手段は、本質的に、タイマーを使用して実現され、これは、正しい第１の時間期間Ｔ１で第１の信号エネルギー内容値ＳＩ１を第２の振幅再構成手段２０Ａへ供給することを制御することを開始する。第１の時間期間が満了後に、タイマーは、正しい第２の時間期間Ｔ２で第２の信号エネルギー内容値ＳＩ２を第２の振幅再構成手段２０Ａへ供給するために開始される。正しい時間期間でのそれぞれの信号エネルギー内容値ＳＩ１又はＳＩ２の受信のために、第２の振幅再構成手段２０Ａは、正しい時間期間で、第１の信号部分と第２の信号部分の信号振幅を再構成するように適応され、この信号部分は、２つの時間連続のデータパケットＤＰ１とＤＰ２を使用して表される。振幅再構成手段２０Ａは、再構成された信号Ｓを信号振幅の再構成の結果として、供給するように適応される。
【００７５】
信号再構成手段１６は、結合信号ＫＳを使用して表される信号部分の時間オーバーラップを達成するように適応される、オーバーラップ手段も有することに注意する。この状況では、オーバーラップ手段は、時間連続結合信号の時間オーバーラップを達成するように、同様に、適応されることにも注意する。技術的な専門用語では、このオーバーラップは、”ウインドウイング”と呼ばれる。信号の信号部分の周辺部は、重み付け関数に従って減衰され、そして、オーバーラップ時間期間に従って重ね合わされる。この状況では、更に、データストリームＤＣを構成する結合データパケットＫＰは、重み付けデータを有し、これは、出力装置１により発生されることに注意する。これは、再生装置１３は、重み付けデータに依存するオーバーラップ手段を使用して、異なる重み付け関数を発生できるという利点を有する。更に、異なるオーバーラップ時間期間を、重み付けデータに依存してオーバーラップ手段を使用して発生することが可能であるという利点が得られる。この状況では、更に、第１の時間期間再構成手段２５Ａは、オーバーラップ時間期間を許すように適応されることに注意する。オーバーラップ手段は、例えば、第２の振幅再構成手段２０Ａの出力側に配置されうることに注意する。しかしながら、オーバーラップ手段が第２の振幅再構成手段２０Ａの入力側に配置される場合には、特に優位であることが分かる。これは、再構成後の信号の最適時間分解能は、信号部分のオーバーラップと信号の時間分解能の結果的な減少に関わらず保証されるという利点を有する。これは、連続する信号部分の間の信号レベルの比較的に大きな差が、再構成されるべきときに、特に重要である。
【００７６】
図５に示された出力装置１では、データ供給源２は、時間連続のデータパケット、即ち、第１のデータパケットＤＰ１と第２のデータパケットＤＰ２、を供給するように適応され、このデータパケットは各々が、時間期間中に現れる信号部分を表し、それぞれの時間期間は同一である。結合手段３は、第３の再構成データ発生手段８Ｂと第３の結合手段９Ｂを含む。
【００７７】
第３の再構成データ発生手段８Ｂは、信号の信号振幅の周波数帯依存再構成を実現するように適応される周波数帯依存振幅再構成データＡＲＤを含む再構成データＲＤ発生するように適応される。第３の再構成データ発生手段８Ｂは、このように、第１の帯域スケーリングデータＢＳ１及び第２の帯域スケーリングデータＢＳ２を発生でき、これは、周波数帯依存振幅再構成データＡＲＤを構成する。第１の帯域スケーリングデータＢＳ１は、第１のスケーリング値Ｓ１と第２のスケーリング値Ｓ２を表し、第１の周波数帯について、第１のスケーリング値Ｓ１は、第１の時間期間の信号振幅を再構成するために動作し、そして、第２のスケーリング値Ｓ２は、第２の時間期間の信号振幅を再構成するために動作する。第２の帯域スケーリングデータＢＳ２は、第３のスケーリング値Ｓ３と第４のスケーリング値Ｓ４を表し、第２の周波数帯について、第３のスケーリング値Ｓ３は、第１の時間期間の信号振幅を再構成するために動作し、そして、第４のスケーリング値Ｓ４は、第２の時間期間の信号振幅を再構成するために動作する。第３の再構成データ発生手段８Ｂは、更に、第１の周波数帯と第２の周波数帯を再構成するように適応される周波数帯再構成データＦＲＤを発生するように適応される。第３の結合手段９Ｂは、周波数データＦＤと周波数帯依存振幅再構成データＡＲＤ及び周波数帯再構成データＦＲＤを、振幅結合データＡＫＤとともに、結合データＫＮに結合するように適応され、これらは、識別データＩＤと情報データＩを有する、結合情報データＫＩと共に、図１３に示されたように結合データパケットＫＰを構成する。
【００７８】
これは、出力装置１は本発明に従ってデータストリームＤＣを発生でき、これは、周波数帯依存振幅再構成データＡＲＤにより、データストリームから再構成される信号の再生中に負の心理音響効果をほぼ完全に避けることを可能とする、という利点を有する。
【００７９】
図１３は、本発明に従ったデータストリームＤＣの結合データパケットＫＰを示し、これは、図５の出力装置１を使用して発生できる。結合データパケットＫＰは、結合情報データＫＩ及び結合データＫＮを含み、この結合データＫＮは、周波数データＦＤと振幅結合データＡＫＤに加えて、再構成データＲＤを有する。この場合には、再構成データＲＤは、振幅再構成データＡＲＤと周波数帯再構成データＦＲＤにより構成される。
【００８０】
図６は、信号を再生するのに適応される再生装置１３を示し、この信号はデータストリームＤＣを使用して受信され、これは図５の出力装置１により発生されうる。
【００８１】
図６に示された再生装置１３では、信号再構成手段１６は、第３の検出手段１８Ｂ、第３の振幅再構成手段２０Ｂ、第３の逆圧縮手段２１Ｂ及び、第２の時間期間再構成手段２５Ｂを有する。第３の振幅再構成手段２０Ｂは、更に合計段階２８とともに、第１のスケーリング手段２６及び、第２のスケーリング手段２７を有する。
【００８２】
第３の検出手段１８Ｂは、結合データパケットＫＰを検出し、そして、検出に際し、振幅再構成データＡＲＤと周波数帯再構成データＦＲＤを抽出するように適応される。第３の検出手段１８Ｂは、更に振幅再構成データＡＲＤを、第２の時間期間再構成手段２５Ｂへ供給するように適応される。更に、第３の検出手段１８Ｂは、周波数帯再構成データＦＲＤを第３の逆圧縮手段２１Ｂへ供給するように適応される。
【００８３】
周波数帯再構成データＦＲＤにより、第３の逆圧縮手段２１Ｂは、結合データパケットＫＰの周波数帯選択的逆圧縮を実行するように適応され、その逆圧縮の間に、第１の結合サブバンドＫＢ１が発生され、そして、第１のスケーリング手段２６へ供給され、そして、第２の結合サブバンドＫＢ２が発生され、そして、第２のスケーリング手段２７へ供給される。第１の結合サブバンドＫＢ１は、第１の周波数帯についての第１の結合時間期間の間の結合信号を表し、この結合時間期間は、２つの信号部分の第１の時間期間と第２の時間期間の和を構成し、この信号部分は、２つの結合されたデータパケットＤＰ１とＤＰ２を使用して表される。第２の結合サブバンドＫＢ２は、第２の周波数帯についての結合時間期間の間の第２の結合信号を表す。
【００８４】
第２の時間期間再構成手段２５Ｂは、振幅再構成データＡＲＤから第１の帯域スケーリングデータＢＳ１と第２の帯域スケーリングデータＢＳ２を抽出しそして、第１の帯域スケーリングデータＢＳ１と第２の帯域スケーリングデータＢＳ２を正しい時間期間で第３の振幅再構成手段２０Ｂ供給するように適応される。このために、図６の第２の時間期間再構成手段２５Ｂは、図６に示されていない時間制御手段を有し、これは、結合されたデータパケットＤＰ１とＤＰ２の数、即ちこの場合には２回、にしたがって、結合データパケットＫＰの逆圧縮に同期して標準時間期間値で繰り返して開始するように適応される。標準時間期間値は、第１の信号部分と第２の信号部分の同一の時間期間を表す。第１の時間期間中に、第２の時間期間再構成手段２５Ｂは、時間制御手段を使用して、第１のスケーリング値Ｓ１を第１のスケーリング手段２６へ与えそして、第３のスケーリング値を第２のスケーリング手段へ与えるように適応される。逆に、第２の時間期間中に、第２の時間期間再構成手段２５Ｂは、時間制御手段を使用して、第２のスケーリング値Ｓ２を第１のスケーリング手段２６へ与えそして、第４のスケーリング値を第２のスケーリング手段２７へ与えるように適応される。
【００８５】
第１のスケーリング手段２６は、第１の結合サブバンドＫＢ１を受信し、そして、第１の時間期間中に正しい時間期間で現れる第１のスケーリング値Ｓ１と、第２の時間期間中に正しい時間期間で現れる第２のスケーリング値Ｓ２で、第１の結合サブバンドＫＢ１をスケーリングするように適応される。第１のスケーリング手段２６は、そして、第１のサブバンド信号ＴＳ１を発生しそして、第１のサブバンド信号ＴＳ１を合計段階２８へ供給するように適応される。
【００８６】
第２のスケーリング手段２７は、第１の時間期間中に正しい時間期間で現れる第３のスケーリング値Ｓ３と、第２の時間期間中に正しい時間期間で現れる第４のスケーリング値Ｓ４で、第２の結合サブバンドＫＰ２をスケーリングするように適応される。第２のスケーリング手段２６は、そして、第２のサブバンド信号ＴＳ２を発生しそして、第２のサブバンド信号ＴＳ２を合計段階２８へ供給するように適応される。合計段階２８は、第１のサブバンド信号ＴＳ１と第２のサブバンド信号ＴＳ２を受信し、再構成された信号Ｓを発生するために、２つのサブバンド信号ＴＳ１とＴＳ２を正しい時間スケールで合計するように適応される。
【００８７】
結合データパケットＫＰは同様に識別データIDから自由であることに注意する。
【００８８】
結合データパケットＫＰは同様に３又はそれ以上のデータパケットを表しうることに注意する。
【００８９】
この状況では、結合手段３は、それぞれの信号部分の動的な信号応答に依存して、結合されるべきデータパケットの数を変更するようにも適応されうることに注意する。
【００９０】
データストリームＤＣを供給するために、出力装置１は並列インターフェース又はシリアルインターフェースを有しても良く、そして、データストリームＤＣを受信するために、再生装置１３はそのようなインターフェースを有しても良いことに注意する。
【００９１】
出力装置１は、非接触の方法でデータストリームＤＣを伝送するように適応されてもよく、そして、再生装置１３は、ブルーツース（Ｂｌｕｅｔｏｏｔｈ）規格に従って非接触でデータストリームＤＣを受信するように適応されてもよいことに注意する。
【００９２】
出力装置１はインターネットへのインターフェースとして実現されうるデータ供給源を有しても良く、それにより、インターネットから受信可能なＭＰ３データパケットの使用を可能とすることに注意する。
【００９３】
再生装置は、ＣＤプレーヤ又はＤＶＤプレーヤの形式も取りうることに注意する。
【００９４】
出力装置１のデータ減少回路１０と再生装置１３の信号再構成回路２２は、ハードワイア回路で実現されても良く、その結果、結合手段１３と信号再構成手段１６は、ソフトウェア無しに構成されることに注意する。
【００９５】
再構成データＲＤは、結合情報データＫＩと結合データＫＮの間で分割されうることに注意する。
【００９６】
出力装置１は、代わりに、半導体メモリカードから圧縮された信号を読み出すように適応されることに注意する。
【００９７】
出力装置１は代わりに、ハードディスクを使用して構成されるデータ供給源２を有するセットトップボックスとして実現されうることに注意する。
【図面の簡単な説明】
【００９８】
【図１】本発明の第１の実施例に従った出力装置の概略を示すブロック図である。
【図２】本発明の第１の実施例に従った再生装置の概略を示すブロック図である。
【図３】本発明の第２の実施例に従った出力装置の概略を示すブロック図である。
【図４】本発明の第２の実施例に従った再生装置の概略を示すブロック図である。
【図５】本発明の第３の実施例に従った出力装置の概略を示すブロック図である。
【図６】本発明の第３の実施例に従った再生装置の概略を示すブロック図である。
【図７】本発明の第１の実施例に従った結合データパケットの概略を示す図である。
【図８】本発明の第２の実施例に従った結合データパケットの概略を示す図である。
【図９】本発明の第３の実施例に従った結合データパケットの概略を示す図である。
【国際公開パンフレット】
2004531938.tif 000003
2004531938.tif 000004
2004531938.tif 000005
2004531938.tif 000006
2004531938.tif 000007
2004531938.tif 000008
2004531938.tif 000009
2004531938.tif 000010
2004531938.tif 000011
2004531938.tif 000012
2004531938.tif 000013
2004531938.tif 000014
2004531938.tif 000015
2004531938.tif 000016
2004531938.tif 000017
2004531938.tif 000018
2004531938.tif 000019
2004531938.tif 000020
2004531938.tif 000021
2004531938.tif 000022
2004531938.tif 000023
2004531938.tif 000024
2004531938.tif 000025
2004531938.tif 000026
2004531938.tif 000027
2004531938.tif 000028
2004531938.tif 000029
2004531938.tif 000030
2004531938.tif 000031
2004531938.tif 000032
2004531938.tif 000033
【国際公開パンフレット（コレクトバージョン）】
2004531938.tif 000034
【国際調査報告】
2004531938.tif 000035
2004531938.tif 000036
2004531938.tif 000037